(57)【要約】  乗場側ドアの下端面と敷居の間に隙間が生じるのを抑制して火炎や煙が昇降路側に侵入するのを抑制することができるエレベーターの乗場側ドア装置を提供する。  案内溝１８を備える敷居１３と対向するように配置されたドアパネル９の昇降路に面した側の下端に、ドアパネルの横方向の全幅と略同一の長さ寸法を有すると共に、所定の強度を備えるドアシューブラケット１１が取り付けられ、ドアシューブラケット１１の下端側は敷居の案内溝の内側に位置するように延びている。所定の強度を備える長尺のドアシューブラケット１１を設けているので、ドアパネル９の下端側の変形が抑制されて隙間が形成されないので、火炎や煙が昇降路内に侵入することを抑制でき、また、ドアシューブラケット１１の下端側が敷居の案内溝１８の内側に位置するので、敷居１3とドアパネル9の間から火炎や煙が昇降路内に侵入することを抑制することができる。
2020105073.tif 000002
【特許請求の範囲】
【請求項１】
建築物の階床に設けられた乗場ホールの乗場側乗降口を開閉するドアパネルからなる乗場側ドアを備えたエレベーターの乗場側ドア装置であって、
前記乗場ホールに設けられた案内溝を備える敷居と、前記敷居と対向するように配置された前記ドアパネルの昇降路に面した側の下端に取り付けられ、前記ドアパネルの横方向の全幅と略同一の長さ寸法を有すると共に、所定の強度を備えるドアシューブラケットとを備え、前記ドアシューブラケットの下端側は前記敷居の案内溝の内側に位置するように延びている
ことを特徴とするエレベーターの乗場側ドア装置。
【請求項２】
請求項１に記載のエレベーターの乗場側ドア装置において、
前記ドアパネルの戸当たり側の前記ドアシューブラケットの下端には係合片が設けられ、前記ドアパネルが閉じ状態にある時に、前記係合片が存在する位置の前記案内溝の底部に前記係合片が係合することが可能な係合孔が形成されている
ことを特徴とするエレベーターの乗場側ドア装置。
【請求項３】
請求項２に記載のエレベーターの乗場側ドア装置において、
前記ドアシューブラケットは鋼板から形成され、前記ドアシューブラケットの厚さは、前記ドアパネルを構成する鋼板の厚さより厚く設定されていると共に、前記敷居の側に向かって折り曲げられた折り曲げ形状に形成されている
ことを特徴とするエレベーターの乗場側ドア装置。
【請求項４】
請求項３に記載のエレベーターの乗場側ドア装置において、
前記ドアシューブラケットの前記折り曲げ形状は、前記ドアパネルの側面に固定されるドアパネル取付け面と、前記ドアパネル取付け面から折り曲げられ、前記ドアパネルの下端面を受けるドアパネル受け面と、前記ドアパネル受け面から折り曲げられ、前記案内溝の内側に収納される滑動面とから形成され、前記滑動面に前記係合片が設けられている
ことを特徴とするエレベーターの乗場側ドア装置。
【請求項５】
請求項４記載のエレベーターの乗場側ドア装置において、
前記係合片の下端と前記敷居の前記案内溝の底部との隙間距離を、前記ドアパネル受け面と前記敷居の上端面との隙間距離より小さく設定した
ことを特徴とするエレベーターの乗場側ドア装置。
【請求項６】
請求項５記載のエレベーターの乗場側ドア装置において、
前記ドアパネルが火災による熱によって熱膨張した時に、前記滑動面に設けた前記係合片が前記敷居の前記案内溝の前記底部に形成した前記係合孔に係合する
ことを特徴とするエレベーターの乗場側ドア装置。
【請求項７】
請求項３記載のエレベーターの乗場側ドア装置において、
前記係合片は、前記ドアシューブラケットの下端に溶接によって固定されているか、或いは前記ドアシューブラケットと一体的に形成されている
ことを特徴とするエレベーターの乗場側ドア装置。
【請求項８】
請求項３記載のエレベーターの乗場側ドア装置において、
前記係合孔は、前記敷居の前記案内溝に形成したごみ落し孔である
ことを特徴とするエレベーターの乗場側ドア装置。
【請求項９】
請求項３に記載のエレベーターの乗場側ドア装置において、
前記ドアシューブラケットの下端には、前記昇降路の側に向けて突出した補助係合片が設けられ、前記ドアパネルが閉じ状態にある時に、前記補助係合片が存在する位置の前記案内溝の側壁に前記補助係合片が係合することが可能な補助係合孔が形成されている
ことを特徴とするエレベーターの乗場側ドア装置。
【請求項１０】
請求項９記載のエレベーターの乗場側ドア装置において、
前記ドアパネルが火災による熱によって熱膨張した時に、前記ドアシューブラケットに設けた前記補助係合片が前記敷居の前記案内溝の前記側壁に形成した前記補助係合孔に係合する
ことを特徴とするエレベーターの乗場側ドア装置。
【発明の詳細な説明】
【技術分野】
【０００１】
本発明はエレベーターのドア装置に係り、特に乗場側乗降口を開閉するエレベーターの乗場側ドア装置に関するものである。
【背景技術】
【０００２】
一般的なエレベーターにおいては、利用客が乗り降りするために、建築物の各階床に設けられた乗場ホールに乗場側乗降口が設けられている。同様に、乗りかごにも利用客が乗り降りするかご側乗降口が設けられている。そして、これらの乗場側乗降口やかご側乗降口には、それぞれ開閉可能な乗場側ドア、及びかご側ドアが設けられている。【０００３】
ところで、エレベーターが設置される建築物で火災が発生した場合、エレベーターの乗場ホールに設けられる乗場側ドアが火炎の熱を受けて変形し、乗場側ドアの戸当たり部や乗場側ドアの下端側と敷居との間に意図しない開口が生じると、この開口を通して火炎や煙が昇降路内に侵入し、いわゆる「煙突効果」で建築物の他階床へ延焼する恐れがある。【０００４】
このため、乗場ホール側で火災が生じたときに、乗場側ドアに意図しない開口が生じないようにしたものとして、例えば、特開平４−１９７９０号公報（特許文献１）等に記載されたエレベーターが知られている。この特許文献１にあるエレベーターは、乗場側ドアの上端側がドアレールに懸吊され、下端側が敷居の案内溝で案内されるドアシューを備え、乗場側ドアが乗場ホールの床面に沿って開閉されるエレベーターである。【０００５】
そして、この乗場側ドアにおいては、乗場側ドアの戸当たり側の下端面に下向きに突出する固定ピンを設けると共に、乗場側ドアが閉じた状態で固定ピンと対向する敷居の案内溝の底部に固定ピンが係合し得る大きさの係合孔を設け、更に、固定ピンの下端と敷居の案内溝の底部との隙間を、乗場側ドアの下端面と敷居の上端面との隙間より小さく設定した構成とされている。【０００６】
建築物に火災が発生した場合、乗場側ドアは乗場ホールに露出している表面側が火炎の熱に晒され、裏面側は昇降路の低温の空気に晒されており、鋼板等の金属で作られた乗場側ドアは急速に伸張すると同時に表面側へ突出するように変形してゆく。【０００７】
これは、乗場側ドアの表面側と裏面側の温度差と、乗場側ドアの上端面側、及び下端面側はドアレールや敷居によって拘束されているためで、これによって、乗場側ドアの上下方向の延びは抑制されて、乗場側ドアは表面側に突出するように変形する。この変形は火炎に晒される時間と共に増大していき、この変形と共に乗場側ドアの戸当り部は左右に戸袋方向へ広がる動きを生じて開口を広げてゆくことになる。【０００８】
しかしながら、特許文献１に記載された乗場側ドアにおいては、火炎による加熱初期の段階で乗場側ドアの上下方向の延び作用によって、固定ピンが係合孔に係合されるため、乗場側ドアは左右に広がる動きを制限されて開口の拡大を抑制することができ、結果的に火炎や煙の昇降路への侵入を抑えることができる。
【先行技術文献】
【特許文献】
【０００９】
【特許文献１】特開平４−１９７９０号公報
【発明の概要】
【発明が解決しようとする課題】
【００１０】
ところで、特許文献１に記載された乗場側ドアにおいては、ドアシューを保持するブラケットと、これと隣接して配置されるドアシューを保持するブラケットは、離間して配置されており、これらのブラケットの間の乗場側ドアの下端面と敷居の上端面の間は隙間が形成されているので、この隙間から火炎や煙が昇降路内に侵入する恐れが大きいという課題がある。【００１１】
更に、火炎の熱に晒される時間が長かったりすると、乗場側ドアの下端面が乗場ホール側に更に変形、突出して隙間を生じ、この隙間から火炎や煙が昇降路内に侵入する恐れが大きいという課題がある。ちなみに、特許文献1のブラケットは、離間して配置されているので、乗場側ドアの下端面の変形については、その抑制効果はさほど期待できないものである。【００１２】
したがって、上述したいずれか、或いは両方の理由によって、この乗場側ドアの下端面の隙間から火炎や煙が昇降路内に侵入することが想定され、更なる改善が要請されている。【００１３】
本発明の目的は、乗場側ドアの下端面と敷居の間に隙間が生じるのを抑制して火炎や煙が昇降路側に侵入するのを抑制することができる新規なエレベーターの乗場側ドア装置を提供することにある。
【課題を解決するための手段】
【００１４】
本発明の特徴は、案内溝を備える敷居と対向するように配置されたドアパネルの昇降路に面した側の下端に、ドアパネルの横方向の全幅と略同一の長さ寸法を有すると共に、所定の強度を備えるドアシューブラケットが取り付けられ、ドアシューブラケットの下端側は敷居の案内溝の内側に位置するように延びている、ところにある。【００１５】
更に、好ましくはドアパネルの戸当たり側のドアシューブラケットの下端に係合片が設けられ、ドアパネルが閉じ状態にある時に、係合片が存在する位置の案内溝の底部に係合片が係合することが可能な係合孔を備えている、ところにある。
【発明の効果】
【００１６】
本発明によれば、ドアパネルの横方向の全幅と略同一長さの所定の強度を備える長尺のドアシューブラケットを設けているので、ドアパネルの下端側の変形が抑制されて隙間が形成されないので、火炎や煙が昇降路内に侵入することを抑制することができる。また、ドアシューブラケットの下端側が敷居の案内溝の内側に位置するので、敷居とドアパネルの間から火炎や煙が昇降路内に侵入することを抑制することができる。【００１７】
更に、係合片は、火災等でドアパネルが熱膨張して変形すると案内溝の底部に設けた係合孔に係合して、ドアパネルの戸当たり側の下端を敷居に固定するので、ドアパネルの戸当たり部の下端側が開き方向へ変形するのが抑制されることで隙間が形成されなくなり、火炎や煙が昇降路内に侵入することを抑制することができる。
【図面の簡単な説明】
【００１８】
【図１】本発明が適用されるエレベーターの概略の構成を示す構成図である。
【図２】乗場ホールにおける乗場乗降口を正面から見た正面図である。
【図３】本発明の第１の実施形態になる乗場側ドアを昇降路側から見た裏面図である。
【図４】図３に示すＡ−Ａ矢視の方向の断面を示す断面図である。
【図５】図３に示すドアシューブラケットの斜視図である。
【図６】ドア下端面を案内する敷居を上から見た上面図である。
【図７】図３に示すドアシューブラケットの変形例を示す斜視図である。
【図８】本発明の第１の実施形態における平常時のドア下端面、及び敷居の関係を説明する説明図である。
【図９】図８のＢ−Ｂ矢視の方向の断面を示す断面図である。
【図１０】本発明の第１の実施形態における火災時のドア下端面、及び敷居の関係を説明する説明図である。
【図１１】図８のＣ−Ｃ矢視の方向の断面を示す断面図である。
【図１２】本発明の第２の実施形態における平常時のドア下端面、及び敷居の関係を説明する断面図である。
【図１３】本発明の第２の実施形態における火災時のドア下端面、及び敷居の関係を説明する断面図である。
【発明を実施するための形態】
【００１９】
以下、本発明の実施形態について図面を用いて詳細に説明するが、本発明は以下の実施形態に限定されることなく、本発明の技術的な概念の中で種々の変形例や応用例をもその範囲に含むものである。
【実施例１】
【００２０】
図１は、本発明が適用されるエレベーターの概略の構成を示している。エレベーターは、建築物に形成される昇降路１の内部を昇降する乗りかご２、及び釣合い錘３と、両端部が昇降路上部の壁面に固定され、その中間部で乗りかご２、及び釣合い錘３を懸架する主ロープ４と、昇降路１の下部に配置され、主ロープ４が巻き掛けられるシーブ５Ａを有する巻上機５とを備えている。そして、巻上機５により主ロープ４を巻き上げ駆動することにより、乗りかご２、及び釣合い錘３が、昇降路１をそれぞれ反対方向に昇降し、目的の行先階に走行される。また、乗りかご２の乗降口にはかご側ドア６が設けられている。【００２１】
上述したように、エレベーターにおいては、利用客が乗り降りするために、建築物の各階に設けられた乗場ホール(図２参照)に乗場側乗降口が設けられ、同様に、乗りかごにも利用客が乗り降りするかご側乗降口が設けられている。そして、これらの乗場側乗降口やかご側乗降口には、それぞれ開閉可能な乗場側ドア８、及びかご側ドア６が設けられている。【００２２】
図２は、図１に示した乗りかご２が着床する乗場ホール７の乗降口７Ｂを正面から見た状態を示している。乗場ホール７の壁面７Ａには乗降口７Ｂが形成されており、この乗降口７Ｂには一対の乗場側ドア８が設けられている。乗場側ドア８は、乗りかご２(図１参照)が乗場ホール７に到着して停止している状態で、かご側ドア６の係合部材が乗場側ドア８の被係合部材に係合する構成となっている。そして、かご側ドア６がドア駆動機構によって開閉されると、この開閉動作は係合部材が被係合部材に係合して伝達され、乗場側ドア８がかご側ドア６に連動して、矢印で示すように開閉される。【００２３】
次に本発明の実施形態について図３〜図６に基づいて説明する。ここで、図３は乗場側ドアを昇降路側から見たものであり、図４は図３に示すＡ−Ａ矢視の方向から見たものであり、図５は図３に示すドアシューブラケットの全体を斜めから見たものであり、図６は乗場側ドアの下端面が案内される敷居を上から見たものである。【００２４】
図３に示しているように、乗場側ドア装置は、少なくとも、互いに接近し、また離間する２つのドアパネル９と、昇降路に面した側のドアパネル９の下端側に、ボルト１０で固定されたドアシューブラケット１１と、ドアシューブラケット１１の下端側で、ドアシューブラケット１１を挟み込むようにして所定間隔を有して保持されたドアシュー１２と、ドアパネル９の下端側と対向するようにして配置され、ドアシューブラケット１１を案内する乗場ホールに設けられた敷居１３と、ドアパネル９の上端側を懸架して保持するレール枠１４とを備えている。尚、レール枠１４は、乗場側乗降口７Ｂの上部に固定されている。【００２５】
ドアパネル９は、乗場側ドア８を構成するものであり、鋼板等の金属で作られた略矩形状の板材であって、上端部にハンガー１５が設けられている。ハンガー１５は、２つのハンガーローラ１６を有し、レール枠１４のドアレール１７に懸架されている。したがって、ドアパネル９はハンガー１５の移動方向にしたがって、ハンガーローラ１６がドアレール１７の上を転動されて開閉動作を実行される。【００２６】
ドアシューブラケット１１は、ドアパネル９の下部にそれぞれボルト１０によって取り付け固定される長尺のブラケットであり、ドアパネル９の横方向の全幅(Ｌｈ)と略同一の長さ寸法を有している。ここで、横方向とはエレベーターが建築物に設置された状態で、乗場ホール７の床面に沿った方向、つまり、重力方向に直交する方向を意味している。【００２７】
また、ドアシューブラケット１１の下端側は、ドアシュー１２と共に、敷居１３の案内溝１８の溝内に収容され、ドアパネル９の移動に対応して案内溝１８の溝内で自由に移動できる。ドアシュー１２は、潤滑性に優れたポリテトラフルオロエチレン等のフッ素樹脂から形成されており、これによって、ドアシューブラケット１１は、敷居１３の案内溝１８を円滑に滑動することができる。【００２８】
そして、図３、図４に示されているように、本実施形態の重要な観点の１つとして、ドアシューブラケット１１の下端側は、敷居１３の上端面１３Ｕを超えて案内溝１８の内側まで延びて延在していることである。これによって、ドアパネル９の下端面の略全長に亘って形成された、敷居１３の上端面１３Ｕとドアパネル９の下端面との間の隙間が塞がれることになる。尚、ドアシューブラケット１１の下端側は、図４に示すように案内溝１８の底部１８Ｂには至らずに所定の隙間を有して底部１８Ｂと対向している。【００２９】
また、図３、図４に示されているように、本実施形態の重要な観点の１つとして、ドアシューブラケット１１は、金属、例えば鋼板を折り曲げ形状に加工したものであり、所定の強度を有している。ここで、所定の強度を獲得するために、鋼板の厚さがドアパネル９を構成する鋼板に比べて厚く設定されており、好ましくは１.３倍〜２倍程度の厚さに設定され、強度が向上されている。【００３０】
更に、ドアシューブラケット１１は、敷居１３の側に向かって複数回(ここでは２回)に亘って折り曲げられた折り曲げ形状に形成されているので、曲げに対して強度が向上されている。このように、鋼板の厚さをドアパネル９より厚くし、また折り曲げ形状としたことで、ドアシューブラケット１１の強度が充分に確保されることになる。【００３１】
図４、図５に示しているように、ドアシューブラケット１１は３つの折り曲げ面からなるブラケットである。【００３２】
ドアパネル取付け面１１Ａはドアパネル９の側面９Ｓにボルト１０によって固定される面であり、複数個のボルト挿通孔１９が設けられている。また、ドアパネル取付け面１１Ａに対して直角に曲げられたドアパネル受け面１１Ｂは、ドアパネル９の下端面９Ｂを受け止める面であり、ドアパネル９の熱膨張による変形が与えられる面である。【００３３】
更に、ドアパネル受け面９Ｂに対してドアパネル取付け面９Ａとは反対側に直角に曲げられた滑動面１１Ｃは、敷居１３の案内溝１８内を滑動する面である。ここで、滑動面１１Ｃには、ドアシュー１２が滑動面１１Ｃの両面を挟み込むようにして固定される。【００３４】
更に、図３〜図５に示されているように、本実施形態の重要な観点の１つとして、ドアシューブラケット１１の滑動面１１Ｃの戸当たり側の下端に、下向き(重力方向)に突出する係合片２０が設けられている。この係合片２０は、ドアシューブラケット１１の滑動面１１Ｃに溶接等の固定手段で強固に固定されている。【００３５】
この係合片２０は、火災等でドアパネル９が変形した時に、敷居１３の案内溝１８に設けた係合孔２１に係合して、ドアパネル９の戸当たり側の下端を敷居１３に固定する機能を備えている。尚、係合片２０の厚さは、ドアシューブラケット１１の厚さと同じ厚さである。【００３６】
図６に示すように、敷居１３の案内溝１８の底部１８Ｂには２つの係合孔２１が形成されている。一方の係合孔２０は一方のドアパネル９に対応し、他方の係合孔２０は他方のドアパネル９に対応している。【００３７】
そして、２つのドアパネル９が閉じられた状態で、２つの係合孔２０は、ドアシューブラケット１１の滑動面１１Ｃの戸当たり側の下端に設けられた係合片２０と係合できる位置に形成されている。尚、この係合孔２０は、案内溝１８に堆積する塵埃を掃き出す「ごみ落とし孔」を利用できる。【００３８】
次に、図４に基づき、敷居１３の案内溝１８の底部１８Ｂとドアシューブラケット１１の滑動面１１Ｃの下端面との間の隙間距離(ｇ１)と、敷居１３の上端面１３Ｕとドアシューブラケット１１のドアパネル受け面１１Ｂとの間の隙間距離(ｇ２)と、敷居１３の案内溝１８の底部１８Ｂと係合片２０の下端面との間の隙間距離(ｇ３)との関係を説明する。【００３９】
隙間距離(ｇ１)、隙間距離(ｇ２)、及び隙間距離(ｇ３)は、「ｇ１＞ｇ２＞ｇ３」の関係を有している。つまり、火災等の熱によってドアパネル９が変形して、ドアシューブラケット１１のドアパネル受け面１１Ｂが隙間距離(ｇ２)を移動して敷居１３の上端面１３Ｕと接触した場合において、隙間距離(ｇ１)の方が隙間距離(ｇ２)よりも長いので、敷居１３の案内溝１８の底部１８Ｂとドアシューブラケット１１の滑動面１１Ｃの下端面とは接触せず、ドアシューブラケット１１の移動を阻害しない。【００４０】
一方、ドアシューブラケット１１のドアパネル受け面１１Ｂが隙間距離(ｇ２)を移動して敷居１３の上端面１３Ｕと接触した場合において、隙間距離(ｇ３)の方が隙間距離(ｇ２)よりも短いので、ドアシューブラケット１１の滑動面１１Ｃの下端面は、案内溝１８の底部１８Ｂを超えて、係合孔２１内に移動することになり、結果的に係合片２０を介して、ドアシューブラケット１１と敷居１３とを係合、固定することになる。【００４１】
ここで、本実施形態では係合片２０とドアシューブラケット１１の滑動面１１Ｃとは溶接によって固定されているが、図７に示しているように、ドアシューブラケット１１の滑動面１１Ｃと係合片２０を打ち抜き加工によって一体的に形成することもできる。これによれば、シューブラケット１１の製作工数を低減できる効果がある。【００４２】
次に、本実施形態になるエレベーターの乗場側ドア装置の平常時と火災時の動作について説明する。
≪平常時≫
図８は、平常の状態におけるドアパネル９と敷居１３の関係を示し、図９は図８のＢ−Ｂ断面を示している。尚、ドアパネル９は２つ設けられているが、同じ構成なので片側のドアパネル９のみを示している。【００４３】
平常の状態では、ドアパネル９は、図８、及び図９に示す状態となっている。すなわち、乗場ホール７の温度は、平常時の温度(一般的には空調温度)であるので、ドアパネル９のドアシューブラケット１１の下端側の縁までの距離は、設計通りの高さ寸法(Ｌｖ)となっている。この状態で図４に示すように、敷居１３の案内溝１８の底部１８Ｂとドアシューブラケット１１の滑動面１１Ｃの下端面は隙間距離(ｇ１)となっており、同様に敷居１３の上端面１３Ｕとドアシューブラケット１１のドアパネル受け面１１Ｂは隙間距離(ｇ２)となっている。【００４４】
したがって、係合片２０は、敷居１３の案内溝１８の底部１８Ｂに形成した係合孔２１に係合することがないので、ドアパネル９は通常通りハンガー１５の移動にしたがって開閉されることになる。ここで、ドアシューブラケット１１の滑動面１１Ｃは、上述したように敷居１３の案内溝１８内に収納されている。
≪火災時≫
次に図１０は、火災が発生した状態におけるドアパネル９と敷居１３の関係を示し、図１１は図１０のＣ−Ｃ断面を示している。【００４５】
火災が発生すると、火炎の熱によってドアパネル９は、図１０、及び図１１に示す状態に変化する。つまり、乗場ホール７の乗降口７Ｂ付近で火災が発生し、ドアパネル９が火炎によって加熱されると、ドアパネル９は乗場ホール７側に突出するように変形する。【００４６】
この現象は、ドアパネル９の乗場ホール７側の面が、火炎によって急速に加熱され、逆にドアパネル９の昇降路側の面が、昇降路内の低温の空気によって冷却される状態になることに起因している。このように、ドアパネル９の乗場ホール７側と昇降路側の温度差によって、ドアパネル９が変形するようになる。【００４７】
更に、鋼板で作られたドアパネル９は熱膨張によって長手方向(重力方向)に伸張するが、ドアパネル９の上部はハンガー１５によって拘束され、下部はドアシューブラケット１１が敷居１３の案内溝１８によって拘束されている。このため、ドアパネル９が高さ方向(長手方向)に高さ寸法(Ｌｖ＋ΔＬｖ)のように伸びると、更にドアパネル９は乗場ホール７側に突出するように変形する。【００４８】
したがって、この状態でドアパネル９の上端側は図示しないドアロック機構のフックが係合されているので、ドアパネル９の開き方向への動きは拘束されている。しかしながら、ドアパネル９の下端側が拘束されていない場合においては、ドアパネル９の変形が更に進行すると、２つのドアパネル９の下端側が左右に移動して戸当たり部に開口が生じる現象を惹起する。【００４９】
一方、本実施形態によれば、ドアパネル９の熱膨張によってドアパネル９が高さ寸法(Ｌｖ＋ΔＬｖ)のように伸びると、ドアシューブラケット１１もこの動きに倣って敷居１３の案内溝１８を底部１８Ｂに向けて移動する。そして、ドアシューブラケット１１の滑動面１１Ｃの下端面が隙間距離(ｇ１)を超えて移動すると、ドアシューブラケット１１の滑動面１１Ｃに固定された係合片２０が、敷居１３の案内溝１８の底部１８Ｂに形成した係合孔２１に係合される。【００５０】
したがって、ドアパネル９の上端側は、ドアロック機構のフックが係合されて開き方向への動きが拘束され、ドアパネル９の下端側は、ドアシューブラケット１１の係合片２０が敷居１３の係合孔２１に係合されて開き方向への動きが拘束されることになる。【００５１】
このような構成の本実施形態によれば、図４に示すようなドアシューブラケット１１をドアパネル９の下端側に取り付けているので、以下に述べるような作用、効果を奏することができる。【００５２】
第１に、火災時おいてはドアシューブラケット１１の下端側は、敷居１３の上端面１３Ｕを超えて案内溝１８の内側まで延びて延在している。これによって、敷居１３の上端面１３Ｕとドアパネル９の下端面との間の隙間が塞がれることになる。したがって、特許文献１のように、ドアシューブラケットが分離されて離間して配置されていないので、乗場側ドア８の下端面と敷居１３の上端面１３Ｕの間には隙間が形成されず、火炎や煙が昇降路内に侵入することを抑制することができる。【００５３】
第２に、ドアシューブラケット１１は、ドアパネル９の下端側に取り付けられ、ドアパネル９の横方向の全幅に亘って延びる長尺で、しかも鋼板の厚さがドアパネル９を構成する鋼板に比べて厚く形成され、更に、ドアシューブラケット１１は折り曲げ形状に作られているので、曲げに対して全体的に強度が向上されている。したがって、ドアパネル９の下端側の変形を少なくでき、結果的にドアパネル９の下端側と敷居１３の上端面１３Ｕとの間に隙間が生じるのを抑制して、火炎や煙が昇降路内に侵入することを防ぐことができる。特に、本実施形態では、鋼板の厚さが厚く形成された、ドアシューブラケット１１の滑動面１１Ｃが、敷居１３の案内溝１８に全体に亘って収納されているので、更にドアパネル９の下端側の変形を少なくできる。【００５４】
第３に、ドアシューブラケット１１の滑動面１１Ｃの戸当たり側の下端に、下向きに突出する係合片２０が設けられ、この係合片２０は、火災等でドアパネル９が熱膨張して変形すると、案内溝１８の底部１８Ｂに設けた係合孔２１に係合して、ドアパネル９の戸当たり側の下端を敷居１３に固定している。したがって、ドアパネル９の戸当たり部の下端側が開き方向へ変形して隙間が形成されないので、火炎や煙が昇降路内に侵入することを抑制することができる。【００５５】
更に、上記した作用、効果を一枚のドアシューブラケット１１で達成することができ、部品点数、及び加工工数を低減できるので、製品の製造コストを低減することができる。
【実施例２】
【００５６】
次に、本発明の第２の実施形態について説明する。図１２は、平常時のドア下端面、及び敷居の関係を説明する断面を示し、図１３は火災時のドア下端面、及び敷居の関係を説明する断面を示している。【００５７】
第２の実施形態になる乗場側ドア装置は、基本的に上述した第１の実施形態に示すものと同等の構成となっている。ただ、図１２に示すように係合片２０に加えて、昇降路側に向かって突出する補助係合片２２が設けられている。また、これに対応してドアパネル９が閉じている状態において、補助係合片２２と対向する案内溝１８の昇降路側の側壁１８Ｓに、補助係合孔２３が設けられている。尚、図１２は平常状態を示している。【００５８】
そして、火災の火炎によってドアパネル９が加熱されると、図１３に示すように、ドアパネル９は熱膨張して伸張すると共に、乗場ホール７側に突出するように変形する。この状態で、第１の実施形態と同様にドアパネル９の初期の伸張に応じて、係合片２０が下側に移動して係合孔２１に係合される。【００５９】
しかしながら、例えば、ドアパネル９の乗場ホール７側への変形速度や変形量によっては、係合片２０が係合孔２１に係合できない状況も想定される。この場合、第２の実施形態の構成では図１３に示すように、昇降路側へ突出する補助係合片２２が案内溝１８の昇降路側の側壁１８Ｓに形成されている補助係合孔２３に係合されるので、ドアパネル９の戸当たり側の下端を敷居１３に固定することができる。これによって、第１の実施形態と同様に、ドアパネル９の戸当たり部の下端側が開き方向へ変形することによる隙間が形成されないので、火炎や煙が昇降路内に侵入することを抑制することができる。【００６０】
このような構成によれば、熱膨張によってドアパネル９が変形した時に、ドアシューブラケット１１の戸当たり側の下端と敷居１３とを、係合片２０と係合孔２１、或いは補助係合片２２と補助係合孔２３のいずれか一方で係合できる構成とすることができ、ドアシューブラケット１１の戸当たり側の下端と敷居１３との係合をより確実なものとすることができる。【００６１】
以上述べた通り、本発明によれば、案内溝を備える敷居と対向するように配置されたドアパネルの昇降路に面した側の下端に、ドアパネルの横方向の全幅と略同一の長さ寸法を有すると共に、所定の強度を備えるドアシューブラケットが取り付けられ、ドアシューブラケットの下端側は敷居の案内溝の内側に位置するように延びている、構成とした。更に、好ましくはドアパネルの戸当たり側のドアシューブラケットの下端に係合片が設けられ、ドアパネルが閉じ状態にある時に、係合片が存在する位置の案内溝の底部に係合片が係合することが可能な係合溝を備えている、構成とした。【００６２】
これによれば、ドアパネルの横方向の全幅と略同一長さの所定の強度を備える長尺のドアシューブラケットを設けているので、ドアパネルの下端側の変形が抑制されて隙間が形成されないので、火炎や煙が昇降路内に侵入することを抑制することができる。また、ドアシューブラケットの下端側が敷居の案内溝の内側に位置するので、敷居とドアパネルの間から火炎や煙が昇降路内に侵入することを抑制することができる。【００６３】
更に、係合片は、火災等でドアパネルが熱膨張して変形すると案内溝の底部に設けた係合孔に係合して、ドアパネルの戸当たり側の下端を敷居に固定するので、ドアパネルの戸当たり部の下端側が開き方向へ変形するのが抑制されることで隙間が形成されなくなり、火炎や煙が昇降路内に侵入することを抑制することができる。【００６４】
尚、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。またある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００６５】
２…乗りかご、６…かご側ドア、７…乗場ホール、８…乗場側ドア、９…ドアパネル、１０…ボルト、１１…ドアシューブラケット、１１Ａ…ドアパネル取付け面、１１Ｂ…ドアパネル受け面、１１Ｃ…滑動面、１２…ドアシュー、１３…敷居、１３Ｕ…敷居の上端面、１４…ガイドレール、１８…案内溝、１８Ｂ…案内溝の底部、２０…係合片、２１…係合孔。
【図１】
2020105073.tif 000003
【図２】
2020105073.tif 000004
【図３】
2020105073.tif 000005
【図４】
2020105073.tif 000006
【図５】
2020105073.tif 000007
【図６】
2020105073.tif 000008
【図７】
2020105073.tif 000009
【図８】
2020105073.tif 000010
【図９】
2020105073.tif 000011
【図１０】
2020105073.tif 000012
【図１１】
2020105073.tif 000013
【図１２】
2020105073.tif 000014
【図１３】
2020105073.tif 000015
【国際調査報告】
2020105073.tif 000016
2020105073.tif 000017
2020105073.tif 000018
2020105073.tif 000019